(57)【特許請求の範囲】
【請求項１】
ページ単位で構成されるデータを格納するデータ格納手段と、
前記データ格納手段に格納されたデータのページの表示を行う表示手段と、
前記表示手段を取り囲む枠体と、
前記表示手段により表示されるページの切り替えを指示するためのものであって、前記枠体において一方向に配設された複数のセンサを有するページ切替手段と、
前記ページ切替手段が有する前記複数のセンサを用いて、前記一方向における指示物の接触位置を検出する位置検出手段と、
前記位置検出手段により検出された前記接触位置に基づいて、前記データのページを選択する選択手段と、
前記選択手段により選択されたページを、前記表示手段に表示させる表示制御手段とを備え、
前記選択手段は、前記位置検出手段により検出された前記接触位置に基づいてページ移動数を決定し、前記表示手段に表示されているページから前記ページ移動数のページ分移動したページを選択するものであり、
前記ページ切替手段は、前記選択手段により相対的に多いページ移動数が決定される接触位置には相対的に多い段部が形成され、前記選択手段により相対的に少ないページ移動数が決定される接触位置には相対的に少ない段部が形成されるものであることを特徴とする表示装置。
【発明の詳細な説明】
【技術分野】
【０００１】
本発明は表示装置に関するものである。
【背景技術】
【０００２】
従来より、電子化された書籍データを、ページ毎に表示する携帯型の表示装置がある。このような表示装置においては、順送りまたは逆送りのボタンを押すことにより、ページ送りを指示していた。また、特開平１１−２４２５３９号公報（特許文献１）には、傾きセンサから構成されるボタンを表示装置の角部に備え、指等で角部のボタンを傾かせることにより、次ページを表示するように構成した表示装置も提案されている。このようにすれば、紙で構成された書籍のページを捲るように自然な感覚で１ページずつページを表示させることができる。
【０００３】
一方、紙で構成される書籍を読む場合、１ページずつページを捲る動作だけではなく、例えば、ページ全体における大体の位置を見当付けて、読みたいページを開く場合がある。１度で読みたいページを開けるとは限らないが、読みたいページの近傍を開くことができるので、後は、１ページずつ捲ることで、読みたいページに比較的早く到達できる。このように、紙で構成される書籍であれば、人間は、書物の内容を思い出し、読みたいページの大体の位置を見当付けることにより、感覚的に読みたいページまたは読みたいページ近傍を開くことができるのである。
【特許文献１】特開平１１−２４２５３９号公報
【発明の開示】
【発明が解決しようとする課題】
【０００４】
しかしながら、上記特許文献１に記載の表示装置は、紙で構成された書籍を１ページずつ捲るがごとく、１ページずつの表示切り替えはできるものの、紙で構成された書物のように、書物全体の内容における読みたいページの位置の大体の位置を見当付けて、感覚的に所望のページを開くことができるものではなかった。
【０００５】
本発明は上述した問題点を解決するためになされたものであり、紙で構成された書籍において所望のページを開く動作に似た感覚で、所望のページを表示させることができる表示装置を提供することを目的としている。
【課題を解決するための手段】
【０００６】
この目的を達成するために、請求項１記載の表示装置は、ページ単位で構成されるデータを格納するデータ格納手段と、前記データ格納手段に格納されたデータのページの表示を行う表示手段と、前記表示手段を取り囲む枠体と、前記表示手段により表示されるページの切り替えを指示するためのものであって、前記枠体において一方向に配設された複数のセンサを有するページ切替手段と、前記ページ切替手段が有する前記複数のセンサを用いて、前記一方向における指示物の接触位置を検出する位置検出手段と、前記位置検出手段により検出された前記接触位置に基づいて、前記データのページを選択する選択手段と、前記選択手段により選択されたページを、前記表示手段に表示させる表示制御手段とを備え、前記選択手段は、前記位置検出手段により検出された前記接触位置に基づいてページ移動数を決定し、前記表示手段に表示されているページから前記ページ移動数のページ分移動したページを選択するものであり、前記ページ切替手段は、前記選択手段により相対的に多いページ移動数が決定される接触位置には相対的に多い段部が形成され、前記選択手段により相対的に少ないページ移動数が決定される接触位置には相対的に少ない段部が形成されるものである。
【０００７】
【０００８】
【０００９】
【００１０】
【００１１】
【００１２】
【００１３】
【発明の効果】
【００１４】
請求項１記載の表示装置によれば、前記位置検出手段により検出された前記接触位置に基づいてページが選択され、その選択されたページが表示手段に表示されるので、紙で構成される書籍において所望のページを開く動作に似た感覚で、所望のページを表示手段に表示させることができるという効果がある。すなわち、紙で構成される書籍においては、開こうとするページが全ページの中でどの辺りに位置しているかを見当付け、書籍の厚み方向における位置に換算して、その位置で書籍を開くことにより、所望のページを開いている。したがって、複数配設されたセンサに対する指示物の接触位置に基づいてページが選択されることにより、紙で構成された書籍と似た操作感を使用者に与えることができる。この効果に加え、前記ページ切替手段は、前記選択手段により相対的に多いページ移動数が決定される接触位置には相対的に多い段部が形成され、前記選択手段により相対的に少ないページ移動数が決定される接触位置には相対的に少ない段部が形成されるので、使用者はページ切替手段に形成された段部により、触覚的にページ移動数を把握することができ、紙で構成される書籍と似た操作感を与えることができるという効果がある。
【００１５】
【００１６】
【００１７】
【００１８】
【００１９】
【００２０】
【００２１】
【発明を実施するための最良の形態】
【００２２】
以下、本発明の好ましい実施例について、添付図面を参照して説明する。図１（ａ）は、本発明の第１実施例の表示装置１０の斜視図である。図１（ａ）に示すように、表示装置１０は、文字又は画像を表示可能な表示パネル２と、枠体３と、表示オンオフキー４と、選択／確定キー６と、ページ送りキー８とを備えている。
【００２３】
表示パネル２は、着色した帯電粒子を分散させた表示液が、２枚のガラス基板の間に封止されることにより構成される電気泳動表示パネルである。表示装置１０において、表示パネル２を構成する２枚のガラス基板の一方は、枠体３の上面３ａ側に露出し、表示画面２ａを構成する。２枚のガラス基板にそれぞれ設けられた電極（図示せず）に画像データに応じた電圧を印加することにより、表示液中の帯電粒子を泳動させ、表示画面２ａの裏面側に泳動された帯電粒子に起因する画像を表示画面２ａに表示させることができる。
【００２４】
枠体３は、表示パネル２を取り囲む部材であって、その上面３ａには表示画面２ａ、表示オンオフキー４、選択／確定キー６が設けられ、側面３ｂにはページ送りキー８が設けられている。なお、図１（ａ）に示すように、枠体３は、上面３ａに対し垂直な断面の形状が台形となるように構成されている。すなわち、側面３ｂは、表示画面２ａに対し傾斜すると共に、上面３ａから背面３ｃへ向かうに従って、外側へ張り出すように構成されている。
【００２５】
表示オンオフキー４は、表示画面２ａにおける表示オンと表示オフとを指示するキーである。表示画面２ａに文字や画像が表示されている状態において、表示オンオフキー４が押下されると、表示画面２ａに表示されていた文字や画像が消去される。一方、表示画面２ａに文字や画像が表示されていない状態において、表示オンオフキー４が押下されると、表示画面２ａに文字や画像が表示される。
【００２６】
選択／確定キー６は、主に、表示画面２ａにおいて、ポインタ、白黒反転処理、またはカーソル等で指し示された項目の選択を指示するためのキーである。ページ送りキー８は、主に、表示画面２ａに表示されるページの切り替えを指示するためのキーである。
【００２７】
図１（ｂ）を参照して、ページ送りキー８の構成について説明する。図１（ｂ）は、ページ送りキー８に設けられたスイッチＣの配置を模式的に示す図である。ページ送りキー８は、例えばメンブレンスイッチで構成され、複数のスイッチＣ１〜Ｃ８を備える。スイッチＣ１〜Ｃ８は、側面３ｂにおいて、上面３ａから背面３ｃへ向かう一方向に所定間隔毎に配設され、スイッチＣ１（請求項の一端に相当）が最も上面３ａ側に配設される。また、スイッチＣ８（請求項の他端に相当）が最も背面３ｂ側に配設される。指などの指示物をページ送りキー８に接触させると、その指示物の接触位置にあるスイッチＣが通電する。よって、ページ送りキー８によれば、スイッチＣ１からＣ８に対する指示物による一方向の接触位置を検出することができる。
【００２８】
図２は、表示装置１０の構成を示すブロック図である。図２に示すように、表示装置１０は、表示パネル２と、表示オンオフキー４と、選択／確定キー６と、ページ送りキー８と、ＣＰＵ１１と、ＲＯＭ１２と、ＲＡＭ１３と、補助記憶装置１４と、ドライバ１５と、インターフェース１６（Ｉ／Ｆ１６）とを備えている。
【００２９】
図２に示すように、ＣＰＵ１１、ＲＯＭ１２、ＲＡＭ１３、補助記憶装置１４、ドライバ１５、Ｉ／Ｆ１６はバスを介して接続されている。また、表示パネル２は、ドライバ１５を介してバスに接続されている。表示オンオフキー４、選択／確定キー６、ページ送りキー８は、バスではなくて図示しないポートを介してＣＰＵ１１に接続されている。）
【００３０】
ＣＰＵ１１は、この表示装置１０を総括的に制御する中央演算処理であり、図３、図４、図６のフローチャートで示す処理を実行するプログラムなどの各種プログラムを実行する。ＲＯＭ１２は、ＣＰＵ１１により実行される各種制御プログラムや固定値データを記憶する不揮発性のメモリである。
【００３１】
ＲＡＭ１３は、ＣＰＵ１１により実行される各種処理に必要なデータやプログラムを一時的に記憶するものであり、ページ情報メモリ１３ａを備えている。ページ情報メモリ１３ａは、ページ情報を記憶するメモリである。ここで、「ページ情報」とは、表示オンオフキー４が押下されることにより、表示画面２ａの表示が消去される場合、消去前に表示されていたページが、いずれのファイルの何ページ目であったかを示す情報である。本実施例では、ファイル名とページ位置とをページ情報として記憶するものとして説明する。なお、ここで「ページ位置」とは、何ページ目のページであるかを示す値である。例えば、第１ページ目のページ位置は、「１」である。
【００３２】
補助記憶装置１４は、記憶媒体読取装置と、その記憶媒体読取装置で読み取り可能であって、記憶媒体読取装置から分離して持ち運び可能な記憶媒体（例えば、ＳＤメモリーカード）とから構成される。補助記憶装置１４の記憶媒体には、ページ単位で構成される複数のファイル（請求項のデータに相当）が格納されている。これらのファイルとしては、例えば、小説などの書籍が電子化された書籍データ等が挙げられる。
【００３３】
ドライバ１５は、ＣＰＵ１１からの制御に従い、表示パネル２を構成する一対の基板に設けられた電極（図示せず）に電圧を供給する回路である。ドライバ１５により、表示パネル２を構成する一対の基板間に封止された表示液に、画像データに応じた電界を付与し、着色した帯電粒子を泳動させることにより、画像データに応じた文字や画像を表示画面２ａに表示させる。
【００３４】
Ｉ／Ｆ１６は、パーソナルコンピュータ（ＰＣ）などの外部装置を有線接続又は無線接続するためのインターフェイスであり、このＩ／Ｆ１６を介して接続されたパーソナルコンピュータ（ＰＣ）などの外部装置とのデータの入出力を制御するものである。
【００３５】
次に、図３、図４、図６のフローチャートを参照して、上記のように構成される第１実施例の表示装置１０において実行される表示処理について説明する。
【００３６】
図３は、表示装置１０で実行される表示処理を示すフローチャートである。この表示処理は、表示オンオフキー４が押下されて、表示オンが指示されると起動する処理である。まず、電源（図示せず）投入後、一回目の表示オン指示であるか否かを確認する（Ｓ２）。つまり、ページ情報メモリ１３ａにページ情報が記憶されているか否かを確認する。電源投入後、一回目の表示オンである場合（Ｓ２：Ｙｅｓ）、ファイル選択処理を実行する（Ｓ４）。ファイル選択処理は、補助記憶装置１４に格納されているファイルのうち、いずれのファイルを読み出して表示画面２ａに表示すべきかを使用者に選択させ、選択されたファイルの第１ページ目を表示画面２ａに表示させる処理である。なお、ファイル選択処理については、図４を参照しつつ、後に詳細に説明する。
【００３７】
一方、電源投入後、二回目以降の表示オン指示である場合（Ｓ２：Ｎｏ）、すなわち、電源投入後、一回以上、文字または画像を表示画面２ａ（図１参照）に表示させ、その後、表示オンオフキー４が押下されて表示が消去された場合、ページ情報メモリ１３ａに記憶されているページ情報に従って、前回表示が消去される直前に、表示画面２ａに表示されていたページを、表示画面２ａに表示させる（Ｓ６）。すなわち、表示画面２ａには、ファイル選択処理（Ｓ４）により選択されたファイルの第１ページ目または前回表示が消去される直前に表示画面２ａに表示されていたページのいずれかが表示される。
【００３８】
次に、後述するファイル選択処理（Ｓ４）において表示オンオフキー４が押下されることによりファイル選択処理が終了されたか否か、または、Ｓ６の処理の後、表示オンオフキー４が押下されて表示オフが指示されたか否かを判断する（Ｓ７）。表示オンオフキー４が押下されない場合（Ｓ７：Ｙｅｓ）、次に、使用者によるページ送りキー８からの入力に従って、ページを選択し、選択されたページを表示画面２ａに表示させるページ送り処理を実行する（Ｓ８）。なお、ページ送り処理については、図６を参照しつつ、後に詳細に説明する。
【００３９】
そして、後述するページ送り処理（Ｓ８）において表示オンオフキー４が押下されることにより、ページ送り処理（Ｓ８）が終了されたか否かを判断し（Ｓ１０）、表示オンオフキー４にてページ送り処理が終了されていない場合（Ｓ１０：Ｎｏ）、ページ送り処理を繰り返す（Ｓ８）。一方、表示オンオフキー４にてページ送り処理が終了された場合（Ｓ１０：Ｙｅｓ）、現在表示されているページのページ情報、すなわち、現在選択されているファイルのファイル名および表示画面２ａに表示されているページのページ位置を、ページ情報メモリ１３ａに格納する（Ｓ１２）。そして、表示画面２ａにおける表示を消去し（Ｓ１４）、処理を終了する。
【００４０】
図４を参照して、ファイル選択処理について説明する。図４は、ファイル選択処理を示すフローチャートである。ファイル選択処理では、まず、補助記憶装置１４に格納されたファイルのファイル名を表示させる（Ｓ４２）。図５（ａ）は、ファイル選択処理の開始時に、表示画面２ａに表示させる画像の一例を示す図である。図５（ａ）に示すように、表示画面２ａには、例えば、選択可能なファイルのファイル名がリスト表示されると共に、先頭のファイル名が白黒反転表示された画像を表示させる。なお、本実施例においては、白黒反転表示により１つのファイル名を特定して表示することとしているが、例えば、ポインタやカーソルなどその他の指示手段により、１つのファイル名を特定して表示するものであってもよい。
【００４１】
図４に戻り説明する。次に、表示オンオフキー４が押下されたか否かを判断する（Ｓ４３）。表示オンオフキー４が押下されていない場合（Ｓ４３：Ｎｏ）、選択／確定キー６が押下されたか否かを判断する（Ｓ４４）。次に、選択／確定キー６が押下された場合（Ｓ４４：Ｙｅｓ）、その選択／確定キー６が押下されていたときに、表示画面２ａにおいて白黒反転表示で示されていたファイル名で特定されるファイルを選択し、そのファイルの第１ページ目を、表示画面２ａに表示させる（Ｓ４６）。
【００４２】
一方、選択／確定キー６が押下されない場合（Ｓ４４：Ｎｏ）、ページ送りキー８から入力がされたか否かを判断する（Ｓ４８）。ページ送りキー８から入力がされない場合（Ｓ４８：Ｎｏ）、Ｓ４４の処理に戻る。一方、ページ送りキー８から入力がされた場合（Ｓ４８：Ｙｅｓ）、入力変化有りか否かを判断する（Ｓ５０）。入力変化有りか否かとは、例えば、所定時間内に、スイッチＣ１〜Ｃ８に対する指示物の接触位置に変化があったか否かに基づいて、判断することができ、使用者がページ送りキー８を押下しただけの場合には、入力変化無しと判断され、使用者がページ送りキー８を押下しながら指を移動させた場合には、入力変化有りと判断される。入力変化がない場合（Ｓ５０：Ｎｏ）、図５（ｂ）に示すように、白黒反転表示位置を１段移動させ、１段下のファイル名が白黒反転表示された画像を表示画面２ａに表示させる（Ｓ５２）。
【００４３】
一方、ページ送りキー８において入力変化があった場合（Ｓ５０：Ｙｅｓ）、すなわちスイッチＣ１〜Ｃ８に対する接触位置に変化があった場合、図５（ｃ）に示すように、白黒反転表示位置を５段移動させ、５段下のファイル名が白黒反転表示された画像を表示画面２ａに表示させる（Ｓ５４）。なお、白黒反転表示位置の移動の際に、白黒反転表示位置が最後尾のファイル名に到達した場合は、白黒反転表示位置は、再び先頭に戻り、ページ送りキー８からの入力に基づいて決定される移動量に応じて移動する。
【００４４】
このようにして、表示オンオフキー４または選択／確定キー６が押下されるまで処理を繰り返し、表示オンオフキー４が押下されると（Ｓ４３：Ｙｅｓ）、ファイル選択処理は終了し、表示処理（図３）に戻る。一方、選択／確定キー６が押下されると（Ｓ４４：Ｙｅｓ）、表示画面２ａに表示された画像において、白黒反転表示により示されていたファイル名で特定されるファイルを選択し、その選択されたファイルの第１ページ目を、表示画面２ａに表示させ（Ｓ４６）、処理を終了する。なお、表示オンオフキー４の押下によりファイル選択処理が終了して、表示処理（図３）に戻った場合、Ｓ７の処理が肯定され（Ｓ７：Ｙｅｓ）、Ｓ１２の処理に移行する。この時点においては、表示画面２ａには、ファイル名のリスト（図５参照）が表示されているので、次回の表示オンオフキー４の押下時に、ファイル名のリストが再表示されるように、Ｓ１２の処理において、ファイル名のリストに相当する画像データを保存するように構成してもよい。また、Ｓ１２の処理をスキップして、Ｓ１４の処理に移行し、単に表示を消去するように構成しても良い。
【００４５】
ファイル選択処理によれば、使用者は、ページ送りキー８において、指などの指示物により一箇所に接触するか、または、スイッチＣ１〜Ｃ８に対する接触位置を変化させるかによって、白黒反転表示位置の移動量を選択することができる。よって、使用者にファイルを選択させる際の操作性が良い。
【００４６】
図６を参照して、ページ送り処理（Ｓ８）について説明する。図６は、ページ送り処理を示すフローチャートである。ページ送り処理の開始時には、前回の消去前に表示画面２ａに表示されていたページが表示されるか（Ｓ６）、または、ファイル選択処理（Ｓ４）により選択されたファイルの第１ページ目が表示されている（Ｓ４６）。
【００４７】
ページ送り処理では、まず、表示オンオフキー４が押下されたか否かを判断する（Ｓ８１）。表示オンオフキー４が押下されていない場合（Ｓ８１：Ｎｏ）、選択／確定キー６が押下されたか否かを判断する（Ｓ８２）。選択／確定キー６が押下されていない場合（Ｓ８２：Ｎｏ）、ページ送りキー８から入力がされたか否かを判断する（Ｓ８４）。ページ送りキー８から入力がされない場合（Ｓ８４：Ｎｏ）、Ｓ８２の処理に戻る。
【００４８】
一方、ページ送りキー８から入力がされた場合（Ｓ８４：Ｙｅｓ）、入力変化があった否かを判断する（Ｓ８６）。これは、例えば、所定時間内に、スイッチＣ１〜Ｃ８（図１（ｂ）参照）に対して指示物による接触位置に変化があったか否かに基づいて、判断することができる。入力変化がない場合（Ｓ８６：Ｎｏ）、スイッチＣ１〜Ｃ８に対する接触位置に基づいて、表示すべきページを選択し（Ｓ８８）、選択されたページを表示画面２ａに表示させる（Ｓ９０）。
【００４９】
図７（ａ）を参照して、指示物の接触位置に基づいてページを選択する方法の一例について説明する。図７（ａ）は、スイッチＣ１〜Ｃ８に対する接触位置とその接触位置に基づいて選択されるページとを概念的に示す図である。まず、図７（ａ）において、破線の楕円で示すように、スイッチＣ１，Ｃ２に相当する位置に指示物が接触した場合について説明する。まず、スイッチＣ１〜Ｃ８に対する接触位置を、スイッチＣ１からスイッチＣ８までの全体に対する割合で算出する。例えば、スイッチＣ１，Ｃ２に相当する位置に指示物が接触した場合は、まず、各スイッチＣに付された番号１，２の平均値（１．５＝（１＋２）／２）を算出する。そして算出された平均値を、スイッチの数８で除算する。これによりスイッチ１〜Ｃ８に対する接触位置「０．１８７５」が算出される。
【００５０】
そして、ファイルの全体ページ数に、算出された接触位置「０．１８７５」を乗算する。例えば、ファイルの全体ページ数が１０００ページである場合、接触位置を乗算し、小数点以下を切り捨てることにより、値「１８７」が得られるから、１８７ページ目を、表示すべきページとして選択する。
【００５１】
また、図７（ａ）において、実線の楕円で示すように、スイッチＣ４，Ｃ５，Ｃ６に相当する位置に指示物が接触した場合について説明する。この場合、まず、各スイッチＣに付された番号４，５，６の平均値（５＝（４＋５＋６）／３）を算出する。そして算出された平均値を、スイッチの数８で除算する。これによりスイッチＣ１〜Ｃ８に対する接触位置「０．６２５」が算出される。そして、ファイルの全体ページ数に、算出された接触位置「０．６２５」を乗算する。例えば、ファイルの全体ページ数が１０００ページである場合、接触位置を乗算し、値「６２５」が得られるから、６２５ページ目のページを、表示すべきページとして選択する。
【００５２】
このようにすれば、ファイルの１ページ（先頭）から最終ページ（後尾）におけるページ位置が、ページ送りキー８のスイッチＣ１からスイッチＣ８に対する接触位置と対応するように、ファイルのページが選択されるので、紙で構成される書籍において、開こうとするページが全ページの中でどの辺りに位置しているかを見当付け、書籍の厚み方向における位置に換算して、所望のページを開く動作に似た感覚で、所望のページを表示させることができる。
【００５３】
図６に戻り説明する。ページ送りキー８から入力がされた場合であって（Ｓ８４：Ｙｅｓ）、且つ入力変化があった場合（Ｓ８６：Ｙｅｓ）、その入力変化が、ページ進み方向の入力変化か否かを判断する（Ｓ９２）。ここで、図７（ｂ）を参照して、入力変化の方向について説明する。図７（ｂ）に示すように、ページ進み方向の入力変化は、スイッチＣ１〜Ｃ８に対する接触位置が、スイッチＣ１側（上面３ａ側（図１（ａ）参照））からスイッチＣ８側（背面３ｃ側（図１（ａ）参照））へ移動する場合の入力変化である。一方、反対に、指示物の接触位置が、スイッチＣ８側（背面３ｃ側（図１（ａ）参照））からスイッチＣ１側（上面３ａ側（図１（ａ）参照））へ移動する場合の入力変化が、ページ戻り方向の入力変化である。スイッチＣ１〜Ｃ８に対する接触位置が、所定時間内に変化した場合、その接触位置の変化に基づいて、入力変化の方向を検出することができる。
【００５４】
図６に戻り説明する。入力変化が、ページ進み方向の入力変化である場合（Ｓ９２：Ｙｅｓ）、表示画面２ａに表示されているページの次のページを選択し、表示させる（Ｓ９４）。一方、入力変化が、ページ戻り方向の入力変化である場合（Ｓ９２：Ｎｏ）、表示画面２ａに表示されているページの前ページを選択し、表示させる（Ｓ９６）。
【００５５】
このようにすれば、紙で構成される書籍において１ページ捲る動作に似た感覚で、次ページまたは前ページを表示させることができる。すなわち、紙で構成される書籍においては、ページ側面に親指を押し当て、親指の押し当て位置を書籍の厚み方向に僅かにずらすことによりページ捲り動作をする。よって、ページ送りキー８において入力変化を与える（すなわち指示物をずらす）動作により、１ページ隣のページを表示することは、紙で構成される書籍のページ捲り動作と似た感覚を与えることができるのである。さらに、入力変化の方向（すなわち指示物をずらす方向）に応じて、次ページを開くか、前ページを開くかを選択することができるので、紙で構成された書籍と似た操作感を、使用者に与えることができる。紙で構成される書籍においても、次ページを開く場合と前ページを開く場合とでは、互いに反対方向の動作がなされるからである。
【００５６】
そして、表示オンオフキー４または選択／確定キー６が押下されるまで処理を繰り返し、ページ送りキー８からの入力に従って選択されるページを表示する。表示オンオフキー４が押下されると（Ｓ８１：Ｙｅｓ）、表示処理（図３）に戻る。一方、選択／確定キー６が押下されると（Ｓ８２：Ｙｅｓ）、ファイル選択処理を実行する（Ｓ９）。すなわち、使用者に新たなファイルを選択させる。そして、ページ送り処理を終了する。なお、ファイル選択処理（Ｓ９）は、図４を参照して説明したファイル選択処理（Ｓ４）と同じ処理であるので、図示および説明は省略する。
【００５７】
第１実施例の表示装置１０によれば、ページ送りキー８の一箇所を指示物によって接触する（すなわち入力変化を与えない）ことにより、スイッチＣ１〜Ｃ８に対する接触位置に対応したページ位置のページが表示されるので、紙で構成される書籍において、開こうとするページが全ページの中でどの辺りに位置しているかを見当づけて所望のページを開く動作に似た感覚で、表示画面２ａに所望のページを表示させることができる。さらに、ページ送りキー８上において指示物を滑らす動作をするなどにより、スイッチＣ１〜Ｃ８に対する接触位置を変化させる（すなわち、入力変化を与える）ことにより、その方向に応じて、１ページ隣のページが表示されるので、紙で構成された書籍においてページ捲りをする動作に似た感覚で、所望のページを表示させることができる。なお、上述の説明では、所定時間内に、スイッチＣ１〜Ｃ８（図１（ｂ）参照）に対して指示物による接触位置に変化があったか否かに基づいて、入力変化があるか否かを判断していたが、入力変化があるか否かを判断する条件を適宜変更してもよい。例えば、５以上のスイッチにおいて接触位置に変化があった場合のみ、入力変化があると判断するなど、入力変化有りとする条件を厳しく設定することにより、誤操作による影響を排除することが可能である。
【００５８】
次に、図８から図１１を参照して、本発明の第２実施例の表示装置３０を説明する。上記した第１実施例では、ファイルの１ページ（先頭）から最終ページ（後尾）におけるページ位置が、ページ送りキー８のスイッチＣ１〜Ｃ８に対する接触位置と対応するように、ファイルのページが選択されていた。これに対し、第２実施例の表示装置３０は、表示画面２ａに表示されているページからファイルの最終ページまでの範囲から、ページが選択される点が第１実施例の表示装置１０と異なる。なお、この第２実施例において、上記した第１実施例と同一の部分には同一の符号を付して、その説明を省略する。
【００５９】
図８を参照して、第２実施例の表示装置３０において、指示物の接触位置に基づいて選択されるページについて説明する。図８は、第２実施例の表示装置３０における、スイッチＣ１〜Ｃ８に対する指示物の接触位置とその接触位置に基づいて選択されるページとを概念的に示す図である。図８（ａ）は、ページ送りキー８から１回目の入力がされた場合を示す。１回目の入力においては、第１実施例と同様に、スイッチＣ１〜Ｃ８までがファイル全体に対応する。そして、ファイルの１ページから最終ページにおけるページ位置が、スイッチＣ１〜Ｃ８に対する接触位置と対応したページが選択され、表示される。
【００６０】
続いて、２回目の入力においては、図８（ｂ）に示すように、スイッチＣ１〜Ｃ８までが、表示画面２ａに表示されているページから最終ページまでの範囲と対応する。そして、表示画面２ａに表示されているページから最終ページまでの範囲におけるページ位置が、スイッチＣ１〜Ｃ８における接触位置と対応するように、ページが選択される。その結果、２回目以降にページ送りキー８から入力がされると、表示画面２ａに表示されているページから最終ページまでの範囲から、スイッチＣ１〜Ｃ８に対する接触位置と対応するページが選択され表示される。したがって、紙で構成される書籍において、一旦あるページを開いた状態で、さらに別のページを開く動作と似た感覚で、所望のページを表示させることができる。
【００６１】
図９は、第２実施例の表示装置３０の構成を示すブロック図である。第２実施例の表示装置３０は、ＲＡＭ１３が、ページ情報メモリ１３ａに加えて、表示ページ位置メモリ１３ｂと、ページ送り範囲メモリ１３ｃとを有する以外は、上記した表示装置１０と同じである。表示ページ位置メモリ１３ｂは、表示画面２ａに表示されたページのページ位置を記憶するメモリである。ページ送り範囲メモリ１３ｃは、表示画面２ａに表示されたページのページ位置からファイルの最終ページのページ位置までの範囲を記憶するメモリである。例えば、１０００ページから構成されるファイルの１ページ目が、表示画面２ａに表示された場合、表示ページ位置メモリ１３ｂには、「１」が記憶される。また、ページ送り範囲メモリ１３ｂには、範囲内先頭ページ位置である「１」とファイルの最終ページ位置である「１０００」が記憶される。
【００６２】
図１０は、第２実施例のページ送り処理（Ｓ８１０）を示すフローチャートである。第２実施例のページ送り処理（Ｓ８１０）は、図３に示す表示処理のページ送り処理（Ｓ８）に替えて実行される処理である。第２実施例のページ送り処理（Ｓ８１０）は、Ｓ８１２〜Ｓ８２２の処理が設けられている以外は、上記した第１実施例のページ送り処理（Ｓ８）と同じである。
【００６３】
第２実施例のページ送り処理（Ｓ８１０）では、まず、表示画面２ａに現在表示されているページ位置を、表示ページ位置メモリ１３ｂに記憶する（Ｓ８１２）。次に、ページ送り範囲を、ページ送り範囲メモリ１３ｃに記憶する（Ｓ８１４）。すなわち、１０００ページから構成されるファイルの第１ページ目が表示されている場合、表示ページ位置メモリ１３ｂに、ページ位置である「１」を記憶させ、ページ送り範囲メモリ１３ｂには、範囲内先頭ページのページ位置「１」とファイルの最終ページのページ位置「１０００」を記憶する。
【００６４】
続いて、表示オンオフキー４が押下されず（Ｓ８１：Ｎｏ）、選択／確定キー６が押下されず（Ｓ８２：Ｎｏ）、ページ送りキー８から入力がされた場合であって（Ｓ８４：Ｙｅｓ）、入力変化がなかった場合（Ｓ８６：Ｎｏ）、スイッチＣ１〜Ｃ８（図１（ｂ）参照）に対する接触位置に基づいて表示すべきページを選択し（Ｓ８１６）、選択されたページを表示画面２ａに表示させる（Ｓ８１８）。ここで、第１実施例では、ファイルの１ページから最終ページにおけるページ位置が、スイッチＣ１〜Ｃ８に対する接触位置と対応するように、ファイルのページが選択されていた。これに対し、第２実施例では、ページ送り範囲メモリ１３ｂに記憶されている範囲からページが選択される。
【００６５】
具体的には、まず、第１実施例と同様に、スイッチＣ１〜Ｃ８に対する接触位置を、スイッチＣ１からスイッチＣ８までの全体に対する割合で算出する。例えば、図８（ａ）に示すように、スイッチＣ４，Ｃ５，Ｃ６に相当する位置が指示物により接触された場合は、各スイッチＣに付された番号４，５，６の平均値（５＝（４＋５＋６）／３）を算出する。そして算出された平均値を、スイッチの数８で除算する。これによりスイッチＣ１〜Ｃ８に対する接触位置「０．６２５」が算出される。
【００６６】
そして、ページ送り範囲メモリ１３ｂに記憶されている範囲におけるページ位置が、接触位置「０．６２５」と対応するように、上記範囲におけるいずれかのページを選択する。具体的には、範囲内のページ数に接触位置を乗算する。例えば、ページ範囲メモリ１３ｂに格納されている範囲内先頭ページ位置が「１」であり、ファイル最終ページ位置が「１０００」である場合、範囲内のページ数は「１０００」であるので、接触位置「０．６２５」を乗算することにより、値「６２５」が得られる。そして、得られた値を、表示ページ位置メモリ１３ｂに記憶されている表示ページ位置に加算した値が、選択されるべきページのページ位置として算出される。例えば、表示画面２ａに第１ページ目のページが表示されている場合、表示ページ位置メモリ１３ｂには、「１」が記憶されているので、「６２６」ページ目が選択され、表示される。
【００６７】
次に、Ｓ８１８の処理で表示画面２ａに表示されたページのページ位置を記憶する（Ｓ８２０）。例えば、表示画面２ａに６２６ページ目が表示されている場合、表示ページ位置メモリ１３ｂに、「６２６」が記憶される。そして、ページ送り範囲メモリ１３ｃには、ページ送り範囲を記憶する（Ｓ８２２）。例えば、ページ送り範囲メモリ１３ｃには、範囲内先頭ページである「６２６」とファイルの最終ページである「１０００」が記憶される。これにより、次回、ページ送りキー８から入力がされた場合に、いずれの範囲からページが選択されるべきであるかが決定される。
【００６８】
そして、次にページ送りキー８から入力がされ（Ｓ８４：Ｙｅｓ）、その入力変化がない場合（Ｓ８６：Ｎｏ）、Ｓ８１６〜Ｓ８２２の処理が繰り返される。例えば、表示画面２ａに、「６２６」ページ目のページが表示されている場合において、図８（ｂ）に示すように、スイッチＣ４，Ｃ５，Ｃ６に相当する位置が指示物により接触された場合は、スイッチＣ１〜Ｃ８に対する接触位置「０．６２５」が算出される。そしてページ送り範囲メモリ１３ｂに記憶されている範囲におけるページ位置が、接触位置「０．６２５」と対応するように、上記範囲におけるいずれかのページを選択する。具体的には、範囲内のページ数「３７５」に接触位置「０．６２５」を乗算し、得られた値「２３４．３７５」を、表示ページ位置メモリ１３ｂに記憶されている「６２６」に加算することにより、値「８６０．３７５」が得られる。そして、小数点以下を切り捨てることにより、値「８６０」が得られる。したがって、「８６０」ページ目が選択され、表示される。
【００６９】
第２実施例の表示装置３０によれば、紙で構成される書籍において所望のページを開く動作に似た感覚で、所望のページを表示させることができる。すなわち、紙で構成される書籍においては、一旦、あるページを開いた後、残りのページ群の中で、開こうとするページがどの辺りに位置しているかを見当付け、書籍の厚み方向における位置に換算して、その位置で書籍を開くことにより、所望のページを開いている。したがって、表示されているページから最終ページまでの範囲内から、スイッチに対する接触位置に対応したページ位置のページが選択され、表示されることにより、紙の書籍と似た操作感を使用者に与えることができるのである。
【００７０】
なお、第１実施例および第２実施例では、ページ送りキー８が側面３ｂに設けられていたが、ページ送りキー８の設置位置はこれに限られない。図１１（ａ）は、ページ送りキー８の設置位置の変形例を示す斜視図であり、図１１（ｂ）は、変形例のページ送りキー８の拡大図である。図１１（ａ）に示すように、ページ送りキー８は、例えば、枠体３の上面３ａに設けられても良い。また、ページ送りキー８の形状は、図１１（ｂ）に示すように、階段状とされていても良い。この場合、スイッチＣ１〜Ｃ１０は、例えば、各階段部の縁にそれぞれ設けられることにより、表示画面２ａに対し傾斜するように一方向に配設される。このように構成すれば、ユーザは、紙で構成された書籍のページの側面に指を押し当てるのと似た感覚で、各階段部の縁に接触し、または各階段部の縁上で指示物を滑らすことができる。
【００７１】
また、第２実施例では、表示画面２ａに表示されているページからファイルの最終ページまでの範囲から、スイッチに対する接触位置に対応するページが選択されていた。これに対し、図１１（ｂ）に示すように、ページ送りキー８の形状を、例えば左右対称とし、左右一対のスイッチＣ１〜Ｃ１０を配設した場合には、例えば、上面３ａに向かって右側に配設されたスイッチ（スイッチＣ１〜Ｃ５）により接触位置が検出されると、表示画面２ａに表示されているページからファイルの最終ページまでの範囲からページを選択させ、一方、上面３ａに向かって左側のスイッチ（スイッチＣ６〜Ｃ１０）により接触位置が検出されると、ファイルの第１ページ目から表示画面２ａに表示されているページまでの範囲からページを選択させるように構成してもよい。
【００７２】
このようにすれば、紙で構成される書籍において所望のページを開く動作に似た感覚で、所望のページを表示させることができる。すなわち、紙で構成される書籍においては、一旦、あるページを開いた後、残りのページ群またはそのページよりも先頭側のページ群の中で、開こうとするページがどの辺りに位置しているかを見当付け、書籍の厚み方向における位置に換算して、その位置で書籍を開くことにより、所望のページを開いている。したがって、右側に設けられたスイッチ（スイッチＣ１〜Ｃ５）または左側に設けられたスイッチ（スイッチＣ６〜Ｃ１０）のいずれにより接触位置を検出したかに基づいて、表示画面２ａに表示されているページからファイルの最終ページまでの範囲、またはファイルの第１ページから表示画面２ａに表示されているページまでの範囲内のいずれか一方を決定し、その決定した範囲からページを選択することにより、紙で構成される書籍と似た操作感を与えることができる。
【００７３】
また、図１１（ｂ）に示すように、左右一対のスイッチＣ１〜Ｃ１０を配設した場合には、右側のスイッチ（スイッチＣ１〜Ｃ５）において入力変化が検出されると、ページ進み方向の入力変化であるとして、現在表示画面２ａに表示されているページの次ページを表示させ、一方、左側のスイッチ（スイッチＣ６〜Ｃ１０）において入力変化が検出されると、ページ戻り方向の入力変化であるとして、現在表示画面２ａに表示されているページの前ページを表示させるように構成してもよい。
【００７４】
紙で構成される書籍においては、前ページを捲る場合と、次ページを捲る場合と左右対称の動作をすることから、上述のように構成することにより、紙で構成される書籍と似た操作感を与えることができる。
【００７５】
次に、図１２および図１３を参照して、本発明の第３実施例の表示装置５０を説明する。上記した第１実施例および第２実施例では、ページ送りキー８の一箇所が指示物により接触された場合（入力変化がない場合）は、スイッチＣ１〜Ｃ８に対する接触位置に応じて表示すべきページが選択され、一方、ページ送りキー８において入力変化がある場合は、入力変化方向に従って、次ページまたは前ページが表示されていた。これに対し、第３実施例の表示装置５０は、入力変化があるか否かに関わらず、スイッチに対する接触位置に応じて表示すべきページが選択される点が、第１実施例および第２実施例と異なる。なお、この第３実施例において、上記した第１実施例と同一の部分には同一の符号を付して、その説明を省略する。
【００７６】
図１２（ａ）は、本発明の第３実施例である表示装置５０の斜視図であり、図１２（ｂ）は、第３実施例のページ送りキー５８の部分拡大図である。図１２（ａ）に示すように、第３実施例の表示装置５０において、ページ送りキー５８は、枠体３の上面３ａに設けられている。また、ページ送りキー５８は、上面３ａにおいて左右に対称な一対のキー群５９ａ、５９ｂから構成される。また、キー群５９ａは、上面３ａにおいて、表示画面２ａ上下方向に並ぶ５つのキー６０ａ、６１ａ、６２ａ、６３ａ、６４ａから構成され、キー群５９ｂは、上面３ａにおいて、表示画面２ａ上下方向に並ぶ５つのキー６０ｂ、６１ｂ、６２ｂ、６３ｂ、６４ｂから構成される。
【００７７】
なお、各キー６０ａ〜６４ａ、６０ｂ〜６４ｂには、それぞれ対応するスイッチＣ６０ａ〜Ｃ６４ａ、Ｃ６０ｂ〜Ｃ６４ｂが設けられている。すなわち、上面３ａにおける上下方向（請求項の一方向に相当）にスイッチＣ６０ａ〜Ｃ６４ａ、Ｃ６０ｂ〜Ｃ６４ｂが配設されている。
【００７８】
表示装置５０のＲＯＭ１２には、各スイッチＣ６０ａ〜Ｃ６４ａ、Ｃ６０ｂ〜Ｃ６４ｂに対する接触位置に対応付けたページ移動数が予め記憶されている。例えば、表示画面２ａの最上段のキー６０ａ、６０ｂに設けられたスイッチＣ６０ａ、Ｃ６０ｂには、ページ移動数「１」が対応付けられる。キー６０ａ、６０ｂの次段のキー６１ａ、６１ｂに設けられたスイッチＣ６１ａ、Ｃ６１ｂには、ページ移動数「２」が対応付けられる。キー６１ａ、６１ｂの次段のキー６２ａ、６２ｂに設けられたスイッチＣ６２ａ、Ｃ６２ｂには、ページ移動数「３」が対応付けられる。キー６２ａ、６２ｂの次段のキー６３ａ、６３ｂに設けられたスイッチＣ６３ａ、Ｃ６３ｂには、ページ移動数「４」が対応付けられる。キー６３ａ、６３ｂの次段のキー６４ａ、６４ｂに設けられたスイッチＣ６４ａ、Ｃ６４ｂには、ページ移動数「５」が対応付けられる。
【００７９】
また、上面３ａに向かって左側に設けられるキー群５９ａに配設されたスイッチＣ６０ａ〜Ｃ６４ａには、ページ進み方向の移動が対応付けられ、上面３ａに向かって右側に設けられるキー群５９ｂに配設された各スイッチＣ６０ｂ〜Ｃ６４ｂには、ページ戻り方向の移動が対応付けられる。なお、ページの移動方向についての対応は、逆であっても良い。ページ送りキー５８を構成するいずれかのキー６０ａ〜６４ａ、６０ｂ〜６４ｂが押下されると、そのキー６０ａ〜６４ａ、６０ｂ〜６４ｂに設けられたスイッチＣにより、スイッチＣに対する接触位置が検出される。そして、接触位置を検出したスイッチＣに対応付けられた移動方向と移動数に応じて、表示すべきページが選択され、表示画面２ａに表示される。
【００８０】
なお、図１２（ｂ）に示すように、キー６１ａ〜６４ａ、６１ｂ〜６４ｂ表面には、線状に突出した段部６５が形成される。そして、表示画面２ａの下側のキー、すなわち、相対的に多いページ移動数が対応付けられたスイッチＣが配設されたキーには、表示画面２ａの上側のキー、すなわち、相対的に少ないページ移動数が対応付けられたスイッチＣが配設されたキーに比較して、表面に多くの段部６５が形成される。
【００８１】
図１３は、第３実施例のページ送り処理（Ｓ８３０）を示すフローチャートである。第３実施例のページ送り処理（Ｓ８３０）は、図３に示す表示処理のページ送り処理（Ｓ８）に替えて実行される処理である。第３実施例のページ送り処理（Ｓ８３０）は、Ｓ８３２が設けられ、Ｓ８６、Ｓ８８、Ｓ９２〜Ｓ９６の処理が設けられていない以外は、上記した第１実施例のページ送り処理（Ｓ８）と同じである。
【００８２】
第３実施例のページ送り処理（Ｓ８３０）では、表示オンオフキー４が押下されず（Ｓ８１：Ｎｏ）、選択／確定キー６が押下されず（Ｓ８２：Ｎｏ）、ページ送りキー５８から入力がされた場合（Ｓ８４：Ｙｅｓ）、スイッチＣ６０ａ〜Ｃ６４ａ、Ｃ６０ｂ〜Ｃ６４ｂに対する接触位置に基づいて、表示すべきページを選択する。上述のように、各スイッチＣ６０ａ〜Ｃ６４ａ、Ｃ６０ｂ〜Ｃ６４ｂには、移動方向とページ移動数が対応付けられて、例えばＲＯＭ１２（図２参照）に記憶されているので、現在表示画面２ａに表示されているページから、接触位置が検出されたスイッチＣに応じた移動方向とページ移動数分のページを移動したページを選択する。例えば、ファイルの第１ページ目が表示されている状態において、上面３ａに向かって右側最上段に位置するキー６０ｂから入力がされた場合、ページ進み方向に１ページ分移動したページ、すなわち２ページ目が選択され、Ｓ９０の処理において表示画面２ａに表示される。
【００８３】
第３実施例の表示装置５０によれば、図１２（ｂ）に示すように、相対的に多いページ移動数が対応付けられたスイッチＣを備えるキーには相対的に多い段部６５が形成され、相対的に少ないページ移動数が対応付けられたスイッチＣを備える決定される接触位置には相対的に少ない段部６５が形成されるので、使用者は各キーに形成された段部６５により、触覚的にページ移動数を把握することができ、紙で構成される書籍と似た操作感を与えることができる。
【００８４】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００８５】
例えば、上述の第１実施例および第２実施例では、ページ送りキー８が１つの側面３ｂに設置される場合を説明したが、２つ以上の側面３ｂに設置されるものであってもよい。例えば、上面３ａに向かって左側の側面と、右側の側面とに左右一対のページ送りキー８を設けてもよいし、上側の側面と下側の側面、または上側の側面と右側の側面に、一対のページ送りキー８を設けてもよい。さらに、一対のページ送りキー８のうち、いずれのキーから入力がされたかに基づいて、表示画面２ａに現在表示されているページよりも前のページを表示させるか、または現在表示されているページよりも後のページを表示させるかを選択できるように構成しても良い。
【００８６】
また、上述の第１実施例および第２実施例では、ページ送りキー８が側面３ｂの一部に設置されていたが（図１ｂ参照）、１つの側面３ｂ全面をページ送りキー８として構成するものであってもよい。
【００８７】
また、上述の第１実施例および第２実施例では、枠体３が、上面３ａに垂直な断面の形状が台形となるように構成されていたが、枠体３の形状はこれに限られない。例えば、図１４（ａ）に示すように、上面３ａに垂直な断面の形状において、側面３ｂが、外側に凸の円弧状となるように構成してもよいし、図１４（ｂ）に示すように、側面３ｂが、内側に凸の円弧状となるように構成しても良いし、図１４（ｃ）に示すように、側面３ｂを階段状に構成してもよい。このように、上面３ａから背面３ｃに向けて、側面３ｂが外側へ張り出す形状に構成し、その側面３ｂにおいて一方向にスイッチＣを配設してページ送りキー８を構成することで、例えば、片手のみで表示装置１０を保持しつつ、ページ送りキー８を手指により操作する動作がし易いため携帯性が良く、また、紙で構成された書籍の側面に手指を押し付ける動作と似た操作感を使用者に与えることができる。
【００８８】
また、上述の表示処理（図３参照）では、表示オンオフキー４の押下によりファイル選択処理（Ｓ４）または、前回表示されていたページの表示処理（Ｓ６）がされていたが、例えば、電源の投入時に、その電源の投入が一回目の電源投入であるか否かを判断し、その電源の投入が一回目であればファイル選択処理（Ｓ４）を実行し、その電源の投入が二回目以降であれば、前回の電源オフ前に表示画面２ａに表示されていたページの表示処理（Ｓ６）を実行するように構成してもよい。
【００８９】
また、上述の実施例では、複数のセンサＣが一直線方向に配設されていたが、例えば円弧状に複数のセンサＣが配設されていても良い。
【図面の簡単な説明】
【００９０】
【図１】（ａ）は、本発明の第１実施例の表示装置の斜視図であり、（ｂ）は、ページ送りキーに設けられたスイッチの配置を模式的に示す図である。
【図２】第１実施例の表示装置の構成を示すブロック図である。
【図３】表示装置で実行される表示処理を示すフローチャートである。
【図４】ファイル選択処理を示すフローチャートである。
【図５】ファイル選択処理において、表示画面に表示される画像の例を示す図である。
【図６】ページ送り処理を示すフローチャートである。
【図７】（ａ）は、ページ送りキーにおける指示物の接触位置とその接触位置に基づいて選択されるページとを概念的に示す図であり、（ｂ）は、ページ送りキーにおける入力変化方向を示す図である。
【図８】第２実施例の表示装置における、指示物の接触位置とその接触位置に基づいて選択されるページとを概念的に示す図である。
【図９】第２実施例の表示装置の構成を示すブロック図である。
【図１０】第２実施例のページ送り処理を示すフローチャートである。
【図１１】（ａ）は、ページ送りキーの設置位置の変形例を示す斜視図であり、（ｂ）は、変形例のページ送りキーの拡大図である。
【図１２】（ａ）は、本発明の第３実施例である表示装置の斜視図であり、（ｂ）は、第３実施例のページ送りキーの部分拡大図である。
【図１３】第３実施例のページ送り処理を示すフローチャートである。
【図１４】枠体の側面の変形例を示す図である。
【符号の説明】
【００９１】
２                          表示パネル（表示手段）
３ｂ                        側面（傾斜面）
８，５８                    ページ切替手段（ページ送りキー）
１０，３０，５０            表示装置
１４                        補助記憶装置（データ格納手段）
６５                        段部
Ｃ１〜Ｃ１０                スイッチ（センサ）
Ｓ８，Ｓ８１０，Ｓ８３０    表示制御手段
Ｓ８６                      入力変化検出手段
Ｓ８８                      位置検出手段
Ｓ８８，Ｓ８１６，Ｓ８３２  選択手段
Ｓ９４，Ｓ９６              選択手段
Ｓ８２２                    範囲決定手段
【図１】
0004720378.tif 000002
【図２】
0004720378.tif 000003
【図３】
0004720378.tif 000004
【図４】
0004720378.tif 000005
【図５】
0004720378.tif 000006
【図６】
0004720378.tif 000007
【図７】
0004720378.tif 000008
【図８】
0004720378.tif 000009
【図９】
0004720378.tif 000010
【図１０】
0004720378.tif 000011
【図１１】
0004720378.tif 000012
【図１２】
0004720378.tif 000013
【図１３】
0004720378.tif 000014
【図１４】
0004720378.tif 000015